(57)【要約】      （修正有）【課題】吸水性及び速乾性を有して、効率良く汗取りができると共に、防水性が高く、着物を汚す虞のない和装汗取り肌着を提供する。【解決手段】左右前身頃２，３と後身頃４と左右袖５，６とから形成される表地７と、左右前身頃２，３を互いに係止する面ファスナー８等を備えた和装汗取り肌着１であって、表地７は吸湿布で形成され、特に、人が汗をかきやすい部位にあたる表地７の左右前身頃２，３の内面上半部と、後身頃４の内面全面には、防水布から成る中生地が設けられ、中生地の表面を被覆するように吸湿布から成る裏地１１が設けられている和装汗取り肌着を提供する。前記表地７は吸水性及び速乾性をもった完全中空ポリエステル原綿から成り、前記中生地は通気性を有すると共に汗の外漏れを防ぐ撥水生地から成り、前記裏地１１は、完全中空ポリエステル原綿が吸熱作用をもつようにキシリトールコーティング加工されている。【選択図】図１
0003148297.tif 000002
【実用新案登録請求の範囲】
【請求項１】
左右前身頃と後身頃と左右袖とから形成される表地と、
前記左右前身頃を互いに係止する係止手段とを備えた和装汗取り肌着であって、
前記表地は吸湿布で形成され、
前記表地の左右前身頃の内面と、後身頃の内面とに防水布から成る中生地が設けられ、
前記中生地の表面を被覆するように吸湿布から成る裏地が設けられていることを特徴とする和装汗取り肌着。
【請求項２】
前記係止手段は面ファスナーであることを特徴とする請求項１記載の和装汗取り肌着。
【請求項３】
前記表地は吸水性及び速乾性をもった完全中空ポリエステル原綿から成り、
前記中生地はポリエステルがフッ素系撥水剤でコーティング加工され、通気性を有すると共に汗の外漏れを防ぐ撥水生地から成り、
前記裏地は、吸水性及び速乾性をもった完全中空ポリエステル原綿が吸熱作用をもつようにキシリトールコーティング加工されていることを特徴とする請求項１又は２記載の和装汗取り肌着。
【請求項４】
前記表地は、前記左右前身頃と後身頃と左右袖とが交わる部分に通気孔となる拡縮自在のアームホールが形成されていることを特徴とする請求項１乃至３のうちいずれか一に記載の和装汗取り肌着。
【請求項５】
前記中生地と裏地は、前記左右前身頃の内面上半部と、後身頃の内面全面とに設けられていることを特徴とする請求項１乃至４のうちいずれか一に記載の和装汗取り肌着。
【考案の詳細な説明】
【技術分野】
【０００１】
本考案は、吸水性及び速乾性を有して効率良く汗取りができると共に、防水性が高く、着物を汚す虞のない和装汗取り肌着に関するものである。
【背景技術】
【０００２】
従来のこの種の技術は、下記のようになっている。
和装用の肌着として、一般的には綿のみを使用した肌着が用いられ、夏用には亜麻を使用した肌着が良く用いられる。
然しながら、それらの肌着は汗を吸水するが、汗による着物の汚れを防止する機能を備えたものになっていない。
そこで、汗による着物の汚れを防止するため、特許文献１には防水布を施した和装肌着が記載されている。特許文献１は、和装肌着の脇の下、背中、尻部、膝裏などの汗等による汚れが付着しやすい部分に防水布を貼るものである。
【特許文献１】実用新案登録第３０９８８７６号公報
【考案の開示】
【考案が解決しようとする課題】
【０００３】
従来の技術には、一応下記のような問題点を指摘することができる。
従来の和装肌着は、和装肌着の素材そのものが汗を吸って濡れるため、汗を吸収しきれず外側の襦袢や着物に汗が付着してしまい、結果としてシミ抜き、丸洗い、洗い張りなどの手入れにかなりの費用を負担することになる。
尚、特許文献１の場合は、防水布を貼った部分は防水布によって汗による汚れを防止することが出来るが、防水布から溢れた汗が外側の襦袢や着物に付着してしまう虞がある。
【０００４】
以上の現状に鑑み、本考案は、吸水性及び速乾性を有して、効率良く汗取りができると共に、防水性が高く、着物を汚す虞のない和装汗取り肌着を提供することを目的とする。
【課題を解決するための手段】
【０００５】
上記の課題を解決すべく、本考案は以下の構成を提供する。
請求項１に係る考案は、左右前身頃と後身頃と左右袖とから形成される表地と、
前記左右前身頃を互いに係止する係止手段とを備えた和装肌着であって、
前記表地は吸湿布で形成され、
前記表地の左右前身頃の内面と、後身頃の内面とに防水布から成る中生地が設けられ、
前記中生地の表面を被覆するように吸湿布から成る裏地が設けられていることを特徴とする和装汗取り肌着を提供するものである。
【０００６】
請求項２に係る考案は、前記係止手段は面ファスナーであることを特徴とする請求項１記載の和装汗取り肌着を提供するものである。
【０００７】
請求項３に係る考案は、前記表地は吸水性及び速乾性をもった完全中空ポリエステル原綿から成り、
前記中生地はポリエステルがフッ素系撥水剤でコーティング加工され、通気性を有すると共に汗の外漏れを防ぐ撥水生地から成り、
前記裏地は、吸水性及び速乾性をもった完全中空ポリエステル原綿が吸熱作用をもつようにキシリトールコーティング加工されていることを特徴とする請求項１又は２記載の和装汗取り肌着を提供するものである。
【０００８】
請求項４に係る考案は、前記表地は、前記左右前身頃と後身頃と左右袖とが交わる部分に通気孔となる拡縮自在のアームホールが形成されていることを特徴とする請求項１乃至３のうちいずれか一に記載の和装汗取り肌着を提供するものである。
【０００９】
請求項５に係る考案は、前記中生地と裏地は、前記左右前身頃の内面上半部と、後身頃の内面全面とに設けられていることを特徴とする請求項１乃至４のうちいずれか一に記載の和装汗取り肌着を提供するものである。
【考案の効果】
【００１０】
本考案によれば、上述のように構成されているので、次のような効果を期待することができる。
請求項１記載の考案によれば、表地は吸湿布で形成され、表地の左右前身頃の内面と、後身頃の内面とに防水布から成る中生地が設けられ、中生地の表面を被覆するように吸湿布から成る裏地が設けられているので、吸水性及び速乾性を有して効率良く汗取りができ、爽快感が得られると共に、防水性が高く、着物を汚す虞のない和装汗取り肌着を提供することができる。
【００１１】
請求項２記載の考案によれば、請求項１記載の考案の効果に加え、面ファスナーによって、左右前身頃を互いに容易且つ確実に留めることができると共に、開くことができる。
【００１２】
請求項３記載の考案によれば、請求項１又は２記載の考案の効果に加え、表地は吸水性及び速乾性を有し、中生地は通気性を有すると共に汗の外漏れを防ぐことができ、裏地は、吸水性及び速乾性をもつと共に、吸熱作用をもち、清涼感を得ることができる。
【００１３】
請求項４記載の考案によれば、請求項１乃至３のうちいずれか一に記載の考案の効果に加え、脇の下部分に拡縮自在のアームホールが形成されるので、通気が良くなり、発汗を抑えることができる。
【００１４】
請求項５記載の考案によれば、請求項１乃至４のうちいずれか一に記載の考案の効果に加え、中生地と裏地が左右前身頃の内面上半部と、後身頃の内面全面とに設けられているので、汗が出る部位の汗の吸水と、防水を効率良く行なうことができる。
【考案を実施するための最良の形態】
【００１５】
以下、実施例を示した図面を参照しつつ本考案の実施の形態を説明する。
図１及び図２に於いて、１は、本考案による和装汗取り肌着であり、和装汗取り肌着１は、左右前身頃２，３と後身頃４と左右袖（例えば、ラグラン袖）５，６とから形成される表地７と、左右前身頃２，３を互いに係止する係止手段である面ファスナー８，９とを備えている。
そして、表地７は吸湿布で形成され、特に、人が汗をかきやすい部位にあたる表地７の左右前身頃２，３の内面上半部と、後身頃４の内面全面には、図３に示す、防水布から成る中生地１０が設けられ、中生地１０を被覆するように吸湿布から成る裏地１１が設けられている。
【００１６】
更に、前記表地７は吸水性、速乾性、軽量性及び保温性を備えた完全中空ポリエステル原綿から成り、前記中生地１０はポリエステルがフッ素系撥水剤でコーティング加工され、通気性を有すると共に汗の外漏れを防ぐ撥水生地から成り、前記裏地１１は、吸水性、速乾性、軽量性及び保温性を備えた完全中空ポリエステル原綿が更に吸熱作用をもつようにキシリトール（糖アルコール）コーティング加工されている。
キシリトールコーティング加工とは、ドイツバイエル社による、天然由来成分（キシトール、スクワラン、シルクプロテイン、ウンデシレン酸、モノグリセライド）を配合した「TASTEX COOL-EX」加工を施したものであり、汗に反応して体感温度を２度下げる効果や保温等の効果が期待できるものである。
【００１７】
前記表地７と裏地１１は、例えば、ポリエステル６５重量％、綿３５重量％で形成された、東レ社の商品名「エアレット」を用いることができ、前記中生地１０は、例えば、ポリエステル１００重量％で形成された、パールトーン社の商品名「パールトーン」を用いることができる。
【００１８】
更に又、前記表地７は、図４に示す如く、左袖４の付け根部分、即ち、左前身頃２と後身頃４と左袖５とが交わる部分に、交わる部分の所定範囲を縫い合わせないことにより、夫々通気孔となる拡縮自在のアームホール１２が形成され、同様に、図示は省略するが、右袖の付け根部分、即ち、右前身頃と後身頃と右袖とが交わる部分に、交わる部分の所定範囲を縫い合わせないことにより、夫々通気孔となる拡縮自在のアームホールが形成されている。
そして、前記アームホール１２は、和装汗取り肌着１を着用した人が、体を動かすと、前記左右前身頃２，３と後身頃４と左右袖５，６が互いにずれることにより、拡縮するように形成されている。
【００１９】
而して、人が前記和装汗取り肌着１を着用する場合は、前記左右袖５，６に左右の腕を通し、胸の前で左右前身頃２，３を重ね合わせて、前記面ファスナー８，９を係止させれば和装汗取り肌着１を着用することができる。
この状態で、表地７のアームホール１２，１２が通気孔となって、脇の下が涼しく、汗をかきにくい。
そして、前記和装汗取り肌着１を着用した人が汗をかくと、汗は前記表地７及び裏地１１によって吸水され、特に、比較的発汗の多い部位に位置する裏地１１が吸水した汗は中生地１０により防水されて汗が表地７に到達しない。又、表地７及び裏地１１は速乾性があるので、早く乾き、快適な着心地が得られる。
【００２０】
更に、前記和装汗取り肌着１を着用した人が汗をかくと、前記裏地１１はキシリトールコーティング加工されているため、キシリトールが汗と反応することにより吸熱作用をおこし、体感温度を２℃程度下げる働きをし、清涼感が得られる。
【図面の簡単な説明】
【００２１】
【図１】本考案による和装汗取り肌着の平面図である。
【図２】本考案による和装汗取り肌着の左右前身頃を開いた状態を示す平面図である。
【図３】本考案による和装汗取り肌着の一部断面図である。
【図４】（ａ）本考案による和装汗取り肌着のアームホールがほぼ閉じた状態を示す平面図である。（ｂ）本考案による和装汗取り肌着のアームホールが開いた状態を示す平面図である。
【符号の説明】
【００２２】
１  和装汗取り肌着
２  左前身頃
３  右前身頃
４  後身頃
５  左袖
６  右袖
７  表地
８，９  面ファスナー
１０  中生地
１１  裏地
１２  アームホール
【図１】
0003148297.tif 000003
【図２】
0003148297.tif 000004
【図３】
0003148297.tif 000005
【図４】
0003148297.tif 000006